(57)【要約】【課題】  ディスプレイ（表示部）を高い位置に吊り下げることが可能な中吊り広告用情報表示装置を提供する。【解決手段】  中吊り広告用情報表示装置１は、情報を表示する表示部としての有機ＥＬディスプレイ１０、有機ＥＬディスプレイ１０を制御する制御ボード２１、制御ボード２１を収容可能な筐体２５と、を備えている。筐体２５は、天井に取り付けるための取り付け面としての天板２５ａを有しており、制御ボード２１は、筐体２５の中において、取り付け面としての天板２５ａと略平行に配置されている。【選択図】      図１
2007024922.tif 000002
【特許請求の範囲】
【請求項１】
天井から吊り下げて使用される中吊り広告用情報表示装置であって、
情報を表示するシート状の表示部と、
前記表示部を制御する制御ボードと、
前記制御ボードを収容可能な筐体と、を備え、
前記筐体は、前記天井に取り付けるための取り付け面を有しており、
前記取り付け面と前記制御ボードとが、略平行に配置されていることを特徴とする中吊り広告用情報表示装置。
【請求項２】
請求項１に記載の中吊り広告用情報表示装置において、
前記制御ボードの長手方向と前記筐体の長手方向とが、略一致して配置されていることを特徴とする中吊り広告用情報表示装置。
【請求項３】
請求項１または請求項２に記載の中吊り広告用情報表示装置において、
前記筐体の長手方向と前記表示部の上辺とが、略平行に配置されていることを特徴とする中吊り広告用情報表示装置。
【請求項４】
請求項１〜請求項３のいずれか一項に記載の中吊り広告用情報表示装置において、
前記筐体は、前記取り付け面と対向する面に開口部を有しており、
前記制御ボードは、前記開口部に接続口を対向するように設けられたコネクタを備え、
前記表示部の上端が、前記開口部に挿通されることにより、前記表示部の上辺に設けられた端子が前記コネクタに接続可能に構成されていることを特徴とする中吊り広告用情報表示装置。
【請求項５】
請求項４に記載の中吊り広告用情報表示装置において、
前記表示部に前記コネクタと接続するための前記端子を前記表示部を構成する基板上に備えていることを特徴とする中吊り広告用情報表示装置。
【発明の詳細な説明】
【技術分野】
【０００１】
本発明は、中吊り広告用情報表示装置に関する。
【背景技術】
【０００２】
従来、中吊り広告などが電車やバスなどの中に設置されるものがあった。特に、電車やバスなどの交通機関は利用する人が多いので、中吊り広告による車内広告は宣伝効果が高い。しかし、紙による広告媒体では、広告内容を簡単に変更できないので、情報を提供するのに限界がある。そこで、宣伝効果を高めるために、簡単に広告内容を変更できて、大量の情報を短時間のうちに表示可能な有機ＥＬディスプレイが、電車やバスなどの車内の中吊り広告用情報表示装置に採用されていた。
【０００３】
例えば、特許文献１に開示されているように、薄く、軽く、フレキシビリティを有する有機ＥＬディスプレイを採用した中吊り広告用情報表示装置が提案されていた。
【０００４】
【特許文献１】特開２００２−３５１３７４号公報
【発明の開示】
【発明が解決しようとする課題】
【０００５】
ところが、この中吊り広告用情報表示装置は、電車やバスの天井から吊り下げられると、制御ボードを収納する筐体と表示部とが直線的に鉛直方向に配置されるから、中吊り広告用情報表示装置が鉛直方向に長くなってしまうので、電車やバスの中の人や、物などにぶつかる恐れがあった。そこで、人や、物などにぶつかる恐れの少ない、ディスプレイ（表示部）を高い位置に吊り下げることが可能な中吊り広告用情報表示装置が求められていた。
【０００６】
本発明の目的は、ディスプレイ（表示部）を高い位置に吊り下げることが可能な中吊り広告用情報表示装置を提供することである。
【課題を解決するための手段】
【０００７】
本発明の中吊り広告用情報表示装置は、天井から吊り下げて使用される中吊り広告用情報表示装置であって、情報を表示するシート状の表示部と、前記表示部を制御する制御ボードと、前記制御ボードを収容可能な筐体と、を備え、前記筐体は、前記天井に取り付けるための取り付け面を有しており、前記取り付け面と前記制御ボードとが、略平行に配置されていることを特徴とする。
【０００８】
この発明によれば、制御ボードを収容可能な筐体を天井に配置すると、制御ボードと表示部とがＬ字形に配置され、制御ボードが天井に略平行に配置されるから、結果的に筐体の鉛直方向長さを短くできるので、表示部を相対的に高い位置から吊り下げることが可能な中吊り広告用情報表示装置を提供できる。
【０００９】
本発明の中吊り広告用情報表示装置は、前記制御ボードの長手方向と前記筐体の長手方向とが、略一致して配置されていることが望ましい。
【００１０】
この発明によれば、制御ボードが筐体内に互いの長手方向を略一致させた向きに配置されていると、筐体の奥行き長さを短くできるから、筐体を小型にできるので、小型化が可能な中吊り広告用情報表示装置を提供できる。
【００１１】
本発明の中吊り広告用情報表示装置は、前記筐体の長手方向と前記表示部の上辺とが、略平行に配置されていることが望ましい。
【００１２】
この発明によれば、筐体と表示部上辺とが長手方向で略一致して配置されていると、筐体の奥行き長さを短くできるから、筐体を小型にできるので、小型化が可能な中吊り広告用情報表示装置を提供できる。
【００１３】
本発明の中吊り広告用情報表示装置は、前記筐体は、前記取り付け面と対向する面に開口部を有しており、前記制御ボードは、前記開口部に接続口を対向するように設けられたコネクタを備え、前記表示部の上端が、前記開口部に挿通されることにより、前記表示部の上辺に設けられた端子が前記コネクタに接続可能に構成されていることが望ましい。
【００１４】
この発明によれば、制御ボードに備えられているコネクタが下向きに配置されているから、表示部を外すときには、コネクタから引き抜くことでできるので、外しやすい。表示部を取り付けるときには、コネクタに差し込めばよいので、取り付けやすい。しかも、筐体に開口部があるから、筐体を分解することなく表示部を外すことや、取り付けることができるので、中吊り広告用情報表示装置のメンテナンスがしやすい。
【００１５】
本発明の中吊り広告用情報表示装置は、前記表示部に前記コネクタと接続するための前記端子を前記表示部を構成する基板上に備えていることが望ましい。
【００１６】
この発明によれば、表示部の基板上に端子があるから、簡単な方法で、制御ボードと表示部とを電気的に接続できる。しかも、電気的に接続するためのフレキシブル配線基板などを使用しないで済むので、表示部を相対的に高い位置から吊り下げることが可能な中吊り広告用情報表示装置を提供できる。
【発明を実施するための最良の形態】
【００１７】
以下、本発明の中吊り広告用情報表示装置について実施形態を挙げ、添付図面に沿って詳細に説明する。
【００１８】
（実施形態）
本発明の実施形態の要部について詳細に説明する。図１は、本実施形態の中吊り広告用情報表示装置１の構成を示す図であり、（ａ）は、概略斜視図であり、（ｂ）は、概略断面図である。
【００１９】
図１（ａ）に示すように、中吊り広告用情報表示装置１は、表示部としての有機ＥＬディスプレイ１０と、駆動ユニット２０とで構成されている。駆動ユニット２０は、筐体２５、制御ボード２１、コネクタ２６などで構成されている。筐体２５の中に制御ボード２１が配置されている。制御ボード２１は、その長手方向に有機ＥＬディスプレイ１０の幅とほぼ等しい長さを有する四角板形状であり、制御ボード２１の長手方向と筐体２５の長手方向とが、略一致して配置されている。なお、筐体２５の天板２５ａ（取り付け面）は、略矩形状である。
【００２０】
筐体２５は、電車やバスの天井に取り付けるための取り付け面を有する天板２５ａ、Ｒ状に形成された曲面を有する下板２５ｂ、左右二つの側板２５ｃ、背板２５ｄで構成されている。これら、天板２５ａと下板２５ｂと側板２５ｃと背板２５ｄとで、空間部２５ｅ（図１（ｂ）参照）を形成している。この空間部２５ｅに、制御ボード２１が収容されている。そして、天板２５ａの内面に（下面）制御ボード２１は裏面２１ａで取り付けられ、天板２５ａと制御ボード２１とが略平行に配置されている。そして、天板２５ａには、取り付け孔２５ｆがあいている（本例では４箇所）。この取り付け孔２５ｆに取り付けネジ２５ｇ（本例では４本）を挿入して天井にネジ固定することで、筐体２５を天井に取り付けることができる。
【００２１】
図１（ｂ）に示すように、筐体２５の中に配置されている制御ボード２１には、コネクタ２６が備えられており、このコネクタ２６に有機ＥＬディスプレイ１０が接続されている。筐体２５は下板２５ｂのうち天板２５ａと対向する部分に下方に開口する開口部２５ｋを有しており、この開口部２５ｋを通して、有機ＥＬディスプレイ１０の端部が、筐体２５内に挿通され、その端部に形成された端子１０ｂ（図２参照）のコネクタ２６に接続される。そして、有機ＥＬディスプレイ１０は、鉛直方向に吊り下げられて、制御ボード２１と有機ＥＬディスプレイ１０とがＬ字形で配置される。その成す角度が約９０度（直角）となる。
【００２２】
図２は、本実施形態の中吊り広告用情報表示装置１の接続方法を説明するための説明図である。
【００２３】
図２に示すように、コネクタ２６は、制御ボード２１の長手方向ほぼ全域にわたって形成されている（但し、図２では一部のみ示す）。制御ボード２１と有機ＥＬディスプレイ１０の上辺１０ａとがほぼ等しい長さを有しており、それぞれの長手方向が略一致するように配置されている。コネクタ２６は、その接続口（挿着口）を開口部２５ｋに対向させる状態に制御ボード２１の基板に実装されている。なお、説明の都合上、制御ボード２１と有機ＥＬディスプレイ１０とを上下逆の配置を示す。制御ボード２１に備えられたコネクタ２６は、端子部２６ｂを長手方向に複数有している。同様に、有機ＥＬディスプレイ１０も、端子部１０ｂを長手方向に複数有している。なお、端子部２６ｂと端子部１０ｂとが対応した位置に配置されている。
【００２４】
有機ＥＬディスプレイ１０を矢印方向に移動させて、筐体２５の開口部２５ｋに有機ＥＬディスプレイ１０の端部を挿通して、コネクタ２６に差し込めば、駆動ユニット２０に有機ＥＬディスプレイ１０を取り付けることができる。有機ＥＬディスプレイ１０を外したいときには、有機ＥＬディスプレイ１０をコネクタ２６から引き抜くことでできる。このようにすれば、有機ＥＬディスプレイ１０を外すことや、取り付けることが簡単にできるので、有機ＥＬディスプレイ１０の破損や、寿命による交換が発生しても、中吊り広告用情報表示装置１のメンテナンスがやりやすい。
【００２５】
有機ＥＬディスプレイ１０をコネクタ２６に差し込むと（挿着すると）、コネクタ２６の端子部２６ｂと有機ＥＬディスプレイ１０の端子部１０ｂとが接合する。そして、コネクタ２６（制御ボード２１）と有機ＥＬディスプレイ１０とが、電気的な導通が得られるように構成されている。そして、有機ＥＬディスプレイ１０が鉛直方向に配置されるから、その重量の影響によって、有機ＥＬディスプレイ１０がコネクタ２６から外れてしまうことや、落下してしまうことが無いように、駆動ユニット２０には落下防止のためのロック機構（図示省略）などが備えられている。
【００２６】
制御ボード２１は、データを記憶するためのメモリ（図示省略）や、データの取得、データの再生、および広告情報を切り換えるための制御部（図示省略）などを備えている。そして、制御ボード２１は、有機ＥＬディスプレイ１０に情報を表示させるための画像信号を送信して、有機ＥＬディスプレイ１０に、その情報を表示させることができる。
【００２７】
図１を参照しながら、中吊り広告用情報表示装置１を電車やバスの天井へ取り付ける方法について説明をする。
【００２８】
電車やバスの天井に駆動ユニット２０を取り付ける。駆動ユニット２０を構成する筐体２５の取り付け面としての天板２５ａを天井にあてて、ネジ２５ｇを取り付け孔２５ｆに挿入して筐体２５を天井にネジ固定する。すると、筐体２５の中に固定されている制御ボード２１と天井とが略平行に配置される。制御ボード２１に備えられているコネクタ２６は下を向くことになる（図２参照）。
【００２９】
そして、有機ＥＬディスプレイ１０の端子１０ｂ側の端部を筐体２５の開口部２５ｋに通して、下を向いているコネクタ２６に差し込めば、中吊り広告用情報表示装置１ができる。制御ボード２１と有機ＥＬディスプレイ１０とがＬ字形に配置され、その結果、有機ＥＬディスプレイ１０が略鉛直に配置される（図１（ａ）参照）。
【００３０】
図３は、本実施形態の有機ＥＬディスプレイ１０の構成を示す概略断面図である。
【００３１】
図３に示すように、有機ＥＬディスプレイ１０は、発光基板１５と発光基板１５に対向する位置に配置されている対向基板としての第２基板１６とで構成されている。第１基板１１上にＩＴＯ膜１２、発光層１３、電極１４とが形成されていて、発光基板１５は、構成されている。なお、発光層１３は、有機物である発光材料が使用されており、発光層１３から発光した光が第１基板１１の矢印方向に透過する。
【００３２】
第１基板１１上に形成されているＩＴＯ膜１２、発光層１３、電極１４のそれぞれの膜厚は約５００ｎｍである。なお、これらＩＴＯ膜１２、発光層１３、電極１４は、真空蒸着法や、スパッタリング法などの薄膜形成方法によって形成されている。
【００３３】
第１基板１１と第２基板１６との材質は、フレキシブル性のある透明な素材であり、例えば絶縁性を有するプラスチックフィルムである。好ましい厚さは０．５〜１ｍｍの範囲であって、薄いシート状である。発光基板１５と第２基板１６とを貼り合わせることによって、有機ＥＬディスプレイ１０は構成される。有機ＥＬディスプレイ１０のフレキシブル性を積極的に発揮するように、ここでは、第１基板１１と第２基板１６との厚さを各々０．５ｍｍにした。つまり、有機ＥＬディスプレイ１０は厚さが約１ｍｍである。そして、第１基板１１と第２基板１６との大きさは、縦が約４００ｍｍで、横が約１０００ｍｍである。有機ＥＬディスプレイ１０は、プラスチックフィルムを重ね合わせた構成であるから、フレキシビリティを有し、曲げることができる。しかも、素材がプラスチックフィルムであるので、軽量である。有機ＥＬディスプレイ１０の矢印の方向が、発光側であり、提供された情報を目視で確認できる。
【００３４】
実施形態における中吊り広告用情報表示装置１の構成は以上のようであって、図１を参照しながら、有機ＥＬディスプレイ１０を相対的に高い位置から吊り下げることが可能であることについて説明する。
【００３５】
中吊り広告用情報表示装置１は、電車やバスの中において、天井から吊り下げられる。具体的には、駆動ユニット２０が天井に取り付けられ、この駆動ユニット２０に表示部としての有機ＥＬディスプレイ１０が吊り下げられている。
【００３６】
電車やバスの中で、中吊り広告用情報表示装置１を天井から吊り下げると、制御ボード２１と有機ＥＬディスプレイ１０とが、Ｌ字形に配置される。制御ボード２１が天井に略平行に配置されるから、その結果、筐体２５（つまり駆動ユニット２０）の鉛直方向長さを短くできることになり、有機ＥＬディスプレイ１０を相対的に高い位置から吊り下げることが可能になる。
【００３７】
中吊り広告用情報表示装置１は、駆動ユニット２０によって駆動され、各種広告情報を大量に、しかも、瞬時に、有機ＥＬディスプレイ１０上に表示できる。
【００３８】
以上のような本実施形態では、次のような効果が得られる。
【００３９】
（１）制御ボード２１を収容可能な筐体２５を電車やバスの天井に配置すると、制御ボード２１と有機ＥＬディスプレイ１０とがＬ字形に配置される。制御ボード２１が天井に略平行に配置されるから、結果的に筐体２５（駆動ユニット２０）の鉛直方向長さを短くできるので、有機ＥＬディスプレイ１０を相対的に高い位置から吊り下げることができる。
（２）制御ボード２１と筐体２５とが互いの長手方向が略一致する向きにそれぞれ配置されているので、筐体２５の奥行き長さを短くできるから、筐体２５（つまり駆動ユニット２０）を小型にできる。
（３）筐体２５と有機ＥＬディスプレイ１０の上辺１０ａとがそれぞれの長手方向を略一致させる状態に配置されているので、筐体２５の奥行き長さを短くできるから、筐体２５（つまり駆動ユニット２０）を小型にできる。
（４）制御ボード２１に備えられているコネクタ２６が下向きに配置されているから、有機ＥＬディスプレイ１０を外すときには、コネクタ２６から引き抜くことでできるので、外しやすい。有機ＥＬディスプレイ１０を取り付けるときには、コネクタ２６に差し込めばよいので、取り付けやすい。しかも、筐体２５に開口部２５ｋがあるから、筐体２５を分解することなく有機ＥＬディスプレイ１０を外すことや、取り付けることができるので、中吊り広告用情報表示装置１のメンテナンスがしやすい。
（５）有機ＥＬディスプレイ１０に端子１０ｂがあるから、簡単な方法で、制御ボード２１と有機ＥＬディスプレイ１０とを電気的に接続できる。しかも、電気的に接続するためのフレキシブル配線基板などを使用しないで済むので、有機ＥＬディスプレイ１０をより高い位置から吊り下げることができる中吊り広告用情報表示装置１を提供できる。
（６）有機ＥＬディスプレイ１０が鉛直方向に真っ直ぐ吊り下げられているので、例えば折れ曲がって吊り下げられている構成で起こりうる配線の損傷も心配ない。
（７）有機ＥＬディスプレイ１０を吊り下げたときに、有機ＥＬディスプレイ１０の下端の高さを同じにしたとしても、表示エリアを大きくすることができるので、表示面積を稼ぐことができる。
【００４０】
以上、好ましい実施の形態を挙げて本発明を説明したが、本発明は上記実施の形態に限定されるものではなく、以下に示すような変形例をも含み、本発明の目的を達成できる範囲で、他のいずれの具体的な構造及び形状に設定できる。
【００４１】
（変形例１）前述の実施形態で、制御ボード２１を筐体２５に配置した構成としたが、これに限らない。例えば、制御ボード２１を収納できる制御ボックスを用意して、この制御ボックスに制御ボードを収納してから筐体２５に固定した構成としてもよい。このようにすれば、制御ボード２１が制御ボックス内に収納される構成になるので、本実施形態と同様の効果が得られる上に、制御ボード２１をより安全に保護できる。
【００４２】
（変形例２）前述の実施形態で、制御ボード２１の奥の方に有機ＥＬディスプレイ１０を吊り下げた構成としたが、これに限らない。例えば、制御ボード２１の奥行き中央付近に有機ＥＬディスプレイ１０を吊り下げてもよい。このようにしても、筐体２５（駆動ユニット２０）の鉛直方向長さを短くできるので、本実施形態と同様の効果が得られる。
【００４３】
（変形例３）前述の実施形態で、制御ボード２１の幅と有機ＥＬディスプレイ１０の幅とが同じ長さにしたが、これに限らない。例えば、有機ＥＬディスプレイ１０の幅に比べて筐体２５や駆動ユニット２０の幅が狭くなっていてもよい。このようにしても、筐体２５（駆動ユニット２０）の鉛直方向長さを短くできるので、本実施形態と同様の効果が得られる。
【００４４】
（変形例４）前述の実施形態で、コネクタ２６が開口部２５ｋからはみ出さない構成にしたが、これに限らない。例えば開口部２５ｋから外へ突出していてもよい。このようにしても、筐体２５（駆動ユニット２０）の鉛直方向長さを短くできるので、本実施形態と同様の効果が得られる。
【００４５】
（変形例５）前述の実施形態で、有機ＥＬディスプレイ１０を配置するときに片面表示の構成にしたが、これに限らない。例えば有機ＥＬディスプレイ１０を２枚配置させて両面表示にしてもよい。このようにすれば、本実施形態と同様の効果が得られる上に、二つの画面表示ができる。
【図面の簡単な説明】
【００４６】
【図１】実施形態の中吊り広告用情報表示装置の構成を示し、（ａ）は、概略斜視図。（ｂ）は、概略断面図。
【図２】中吊り広告用情報表示装置の接続方法を説明するための説明図。
【図３】有機ＥＬディスプレイの構成を示す概略断面図。
【符号の説明】
【００４７】
１…中吊り広告用情報表示装置、１０…表示部としての有機ＥＬディスプレイ、１０ａ…上辺、１０ｂ…端子、２０…駆動ユニット、２１…制御ボード、２５…筐体、２５ａ…取り付け面としての天板、２５ｋ…開口部、２６…コネクタ、２６ｂ…端子。
【図１】
2007024922.tif 000003
【図２】
2007024922.tif 000004
【図３】
2007024922.tif 000005